(57)【特許請求の範囲】
【請求項１】
第１表示パネルと、
前記第１表示パネルのうちの第１領域に表示されている画像に対応する代替画像を、前記第１表示パネルのうちの第２領域に表示させる制御部と、
前記第１表示パネルに対する被検出物の接触と接触位置とを検出する検出部と
を備え、
前記第１領域は、欠陥領域を含み、
前記第２領域は、前記第１領域と異なり、
前記代替画像の色彩は透明色又は半透明色であり、
前記制御部は、
所定時間が経過するごとに前記代替画像の表示と非表示とを繰り返させ、
前記代替画像が表示されているときに、前記第１表示パネルのうち前記代替画像に対応する前記第２領域に対する前記被検出物の接触が検出された場合、前記代替画像に割り当てられた機能を実行し、
前記代替画像が非表示であるときに、前記第１表示パネルのうち前記代替画像が表示されていた領域に対する前記被検出物の接触が検出された場合、前記第１表示パネルに表示される画像に割り当てられた機能を実行する、表示装置。
【請求項２】
前記制御部は、前記接触位置に基づいて、前記第１領域を特定する、請求項１に記載の表示装置。
【請求項３】
前記検出部は、前記第１表示パネルに対する前記被検出物の接触移動をさらに検出し、
前記制御部は、前記被検出物の前記接触移動に応じて、前記代替画像の表示位置を変更する、請求項１または請求項２に記載の表示装置。
【請求項４】
前記第２領域は、第３領域と第４領域とを含み、
前記第１領域は、前記第３領域と前記第４領域との間に位置し、
前記制御部は、前記代替画像の一部を前記第３領域に表示させ、前記代替画像の他の一部を前記第４領域に表示させる、請求項１から請求項３のいずれか１項に記載の表示装置。
【請求項５】
前記被検出物は、複数であり、
前記検出部は、前記第１表示パネルに対する前記複数の被検出物の接触をさらに検出し、
前記第１表示パネルは、前記第２領域と異なる第５領域をさらに含み、
前記複数の被検出物のうち、１つの被検出物が前記第２領域に接触したことと、他の１つの被検出物が前記第５領域に接触したこととが検出された場合、前記制御部は、前記代替画像に割り当てられた機能を実行する、請求項１から請求項４のいずれか１項に記載の表示装置。
【請求項６】
表示方法であって、
表示パネルの第１領域に画像を表示する手順と、
前記第１領域に表示されている前記画像に対応する代替画像を、前記表示パネルのうちの第２領域に表示する手順と、
前記表示パネルに対する被検出物の接触と接触位置とを検出する手順と
を含み、
前記第１領域は、欠陥領域を含み、
前記第２領域は、前記第１領域と異なり、
前記代替画像の色彩は透明色又は半透明色であり、
前記代替画像を表示する前記手順では、所定時間が経過するごとに前記代替画像の表示と非表示とを繰り返し、
前記表示方法は、
前記代替画像が表示されているときに、前記表示パネルのうち前記代替画像に対応する前記第２領域に対する前記被検出物の接触が検出された場合、前記代替画像に割り当てられた機能を実行する手順と、
前記代替画像が非表示であるときに、前記表示パネルのうち前記代替画像が表示されていた領域に対する前記被検出物の接触が検出された場合、前記表示パネルに表示される画像に割り当てられた機能を実行する手順と
をさらに含む、表示方法。
【発明の詳細な説明】
【技術分野】
【０００１】
本発明は、表示装置及び表示方法に関する。
【背景技術】
【０００２】
従来、液晶パネル、有機エレクトロルミネッセンス（有機ＥＬ）パネル又はプラズマディスプレーパネルのような表示パネルを備える表示装置が存在する。表示パネルの配線が切れたりショートしたりすると、表示パネルには、常に点灯する領域、又は常に点灯しない領域が発生する場合がある。このような領域をドット落ち（欠陥）という。ユーザーは、表示パネルに表示される画像のうち、ドット落ちした領域に表示されている画像を視認できない。
【０００３】
そこで、特許文献１に記載の欠陥検査装置では、液晶パネル（表示パネル）に存在するドット落ちを自動的に検出する。
【先行技術文献】
【特許文献】
【０００４】
【特許文献１】特開２０１０−１４６９６号公報
【発明の概要】
【発明が解決しようとする課題】
【０００５】
しかしながら、特許文献１に記載の欠陥検査装置は、液晶パネルを生産するときに、液晶パネルに存在するドット落ちを検出している。従って、液晶パネルが生産されたあとに、液晶パネルにドット落ちが発生した場合、ユーザーは、液晶パネルに表示される画像のうち、ドット落ちした領域に表示されている画像を視認できない。
【０００６】
本発明は上記課題に鑑みてなされたものであり、表示パネルが欠陥領域を含む場合であっても、表示パネルに表示されている画像の視認性の低下を抑制する表示装置及び表示方法を提供することを目的とする。
【課題を解決するための手段】
【０００７】
本発明の第１の観点によれば、表示装置は、第１表示パネルと、制御部とを備える。制御部は、前記第１表示パネルのうちの第１領域に表示されている画像に対応する代替画像を、前記第１領域と異なる第２領域に表示させる。前記第１領域は、欠陥領域を含む。
【０００８】
本発明の第２の観点によれば、表示方法は、第１領域に画像を表示する手順と、前記第１領域に表示されている前記画像に対応する代替画像を、前記第１領域と異なる第２領域に表示する手順とを含む。前記第１領域は、欠陥領域を含む。
【発明の効果】
【０００９】
本発明によれば、表示パネルが欠陥領域を含む場合であっても、表示パネルに表示されている画像に対する視認性の低下を抑制する。
【図面の簡単な説明】
【００１０】
【図１】本発明の実施形態１に係る表示装置を示すブロック図である。
【図２】（ａ）〜（ｄ）本発明の実施形態１に係る表示装置が実行する代替画像の表示制御を説明する図である。
【図３】（ａ）〜（ｃ）本発明の実施形態１に係る表示装置が実行する代替画像の表示制御を説明する図である。
【図４】本発明の実施形態１に係る表示装置が実行する代替画像の表示制御方法を示すフローチャートである。
【図５】（ａ）〜（ｃ）本発明の実施形態１に係る表示装置が実行する代替画像の分割表示制御を説明する図である。
【図６】（ａ）〜（ｃ）本発明の実施形態１に係る表示装置が実行する代替画像の分割縮小表示制御を説明する図である。
【図７】（ａ）〜（ｃ）本発明の実施形態１に係る表示装置が実行する代替画像の縮小表示制御を説明する図である。
【図８】本発明の実施形態２に係る表示装置を示すブロック図である。
【図９】（ａ）〜（ｃ）本発明の実施形態２に係る表示装置が実行する代替画像の表示制御を説明する図である。
【図１０】（ａ）〜（ｃ）本発明の実施形態２に係る第１表示パネルでの座標とタッチパッドでの座標との対応づけを説明する図である。
【図１１】本発明の実施形態３に係る表示装置を示すブロック図である。
【図１２】本発明の実施形態３に係る表示装置が実行する代替画像の表示制御を説明する図である。
【発明を実施するための形態】
【００１１】
本発明の実施形態について、図面を参照して説明する。なお、以下に説明する実施形態は、特許請求の範囲に係る発明を限定するものではない。また、実施形態の中で説明する構成要素の全てが発明の解決手段に必須であるとは限らない。複数の図を通じて同一の符号は、同一の構成要素を示している。
【００１２】
（実施形態１）
図１及び図２を参照して、本発明の実施形態１に係る表示装置１について説明する。図１は、表示装置１を示すブロック図である。図２（ａ）〜図２（ｄ）は、表示装置１が実行する代替画像２２の表示制御を説明する図である。表示装置１は、制御部１０と、第１表示パネル２０と、第１検出部としてのタッチパネル３０とを備える。
【００１３】
第１表示パネル２０は、画像を表示する。第１表示パネル２０は、例えば液晶パネル、有機エレクトロルミネッセンス（有機ＥＬ）パネル、プラズマディスプレーパネル、又はフィールドエミッションディスプレーパネルである。表示装置１が液晶ディスプレーである場合、表示装置１は、液晶パネルとしての第１表示パネル２０を搭載する。以下、表示装置１が画像形成装置に搭載されている場合を例に挙げて表示装置１について説明する。
【００１４】
図２（ａ）に示すように、本実施形態において、第１表示パネル２０に表示されている画像は、ボタン２１ａ、ボタン２１ｂ、ボタン２１ｃ、ボタン２１ｄ及びボタン２１ｅを含む。ボタン２１ａには、画像形成装置が有する印刷機能が割り当てられている。ボタン２１ｂには、画像形成装置が有するスキャン機能が割り当てられている。ボタン２１ｃには、画像形成装置が有するコピー機能が割り当てられている。ボタン２１ｄには、画像形成装置が有するファクシミリ機能が割り当てられている。ボタン２１ｅの詳細については後述する。
【００１５】
タッチパネル３０は、第１表示パネル２０に対する被検出物の接触位置を検出する。また、タッチパネル３０は、第１表示パネル２０に対する被検出物の接触移動を検出する。被検出物は、例えば、表示装置１を操作するユーザーの指、又はタッチペンである。タッチパネル３０が、第１表示パネル２０のうち、第１表示パネル２０に表示されているボタン２１ａ〜２１ｅのいずれかに対応する領域で被検出物の接触を検出することで、画像形成装置は、接触が検出されたボタン２１ａ〜２１ｅのいずれかに割り当てられた機能を実行する。
【００１６】
図２（ｂ）に示すように、第１表示パネル２０は、欠陥領域ＡＤを含む場合がある。欠陥領域ＡＤとは、第１表示パネル２０のうち、欠陥した領域のことを示す。具体的には、欠陥領域ＡＤは、第１表示パネル２０のうち、常に発光しない領域、又は常に発光する領域のことである。従って、ユーザーは、第１表示パネル２０に表示される画像のうちの欠陥領域ＡＤに表示されている画像を視認できない。欠陥領域ＡＤは、例えば、ドット抜けしている領域ともいう。
【００１７】
本実施形態において、欠陥領域ＡＤは点状である。欠陥領域ＡＤは、第１表示パネル２０に表示される画像のうち、ボタン２１ａの一部とボタン２１ｂの一部とに重なり合っている。従って、ユーザーは、ボタン２１ａの一部とボタン２１ｂの一部とを視認できない。
【００１８】
ボタン２１ｅには、表示装置１が有する代替画像２２を表示する機能が割り当てられている。第１表示パネル２０のうち、ボタン２１ｅに対応する領域で接触が検出されると、表示装置１は、代替画像２２を表示する機能を実行する。代替画像２２を表示する機能とは、第１表示パネル２０のうち、第１領域Ａ１に表示されている画像に対応する代替画像２２を、第１領域Ａ１と異なる第２領域Ａ２に表示させる機能である。以下、表示装置１が有する代替画像２２を表示する機能について詳細に説明する。
【００１９】
図２（ｃ）に示すように、制御部１０は、検出された第１表示パネル２０に対する被検出物の接触位置に基づいて、第１領域Ａ１を特定する。第１領域Ａ１が特定されたことに応じて、制御部１０は、第１表示パネル２０のうち、第１領域Ａ１と異なる第２領域Ａ２を特定する。すなわち、本実施形態において、第１表示パネル２０は、第２領域Ａ２を含む。そして、制御部１０は、第１表示パネル２０のうちの第１領域Ａ１に表示されている画像に対応する代替画像２２を、第１領域Ａ１と異なる第２領域Ａ２に表示させる。従って、第１領域Ａ１が欠陥領域ＡＤを含む場合、代替画像２２には、欠陥領域ＡＤに表示されている画像に対応する画像が含まれる。
【００２０】
本実施形態において、第１表示パネル２０に表示される画像のうち、欠陥領域ＡＤを含む第１領域Ａ１は、ボタン２１ａの一部及びボタン２２ｂの一部に重なり合っている。従って、代替画像２２は、ボタン２１ａの一部に対応するボタン２２ａと、ボタン２１ｂの一部に対応するボタン２２ｂを含む。
【００２１】
図２（ｄ）に示すように、制御部１０は、被検出物の接触移動に応じて、代替画像２２の表示位置を変更する。例えば、第１表示パネル２０のうち代替画像２２に対応する領域で第１所定時間以上停止した接触位置が検出され、さらに被検出物の接触移動が検出されたことに応じて、制御部１０は、接触移動に対応するように代替画像２２の表示位置を変更する。第１所定時間は、任意に設定され、例えば２秒に設定される。
【００２２】
本実施形態によれば、制御部１０は、代替画像２２の表示位置を、第１表示パネル２０のうちの任意の位置に変更できる。従って、ユーザーは、第１表示パネル２０に表示された代替画像２２を視認しつつ、第１表示パネル２０に表示されている画像のうちの代替画像２２と重なり合っている画像を視認できる。その結果、第１表示パネル２０が欠陥領域ＡＤを含む場合であっても、第１表示パネル２０に表示される画像の視認性の低下を抑制できる。
【００２３】
また、制御部１０は、代替画像２２を点滅させる。つまり、制御部１０は、第２所定時間が経過するごとに代替画像２２を非表示にする。第２所定時間は、任意に設定され、例えば５秒に設定される。具体的には、制御部１０は、図２（ｃ）に示すように、代替画像２２を表示させてから、第２所定時間が経過すると、図２（ｂ）に示すように、代替画像２２を非表示にさせる。代替画像２２が非表示にされてから第２所定時間がさらに経過すると、制御部１０は、図２（ｃ）に示すように、非表示にされた代替画像２２を表示させる。
【００２４】
従って、ユーザーは、第２所定時間が経過するごとに、代替画像２２と、第１表示パネル２０に表示されている画像のうちの代替画像２２と重なり合っている画像とを交互に視認できる。その結果、ユーザーは、第１表示パネル２０が欠陥領域ＡＤを含む場合であっても、第１表示パネル２０に表示される画像の視認性の低下を抑制できる。
【００２５】
なお、第１表示パネル２０に代替画像２２が表示されているときに、第１表示パネル２０のうち代替画像２２に対応する領域に対する被検出物の接触が検出される場合、制御部１０は、代替画像２２に割り当てられた機能を実行する。そして、代替画像２２が非表示であるときに、第１表示パネル２０のうち代替画像２２が表示されていた領域に対する被検出物の接触が検出される場合、制御部１０は、第１表示パネル２０に表示される画像に割り当てられた機能を実行する。
【００２６】
さらに、制御部１０は、代替画像２２の色彩を透明色又は半透明色にして表示させる。従って、ユーザーは、第１表示パネル２０に表示される画像のうちの代替画像２２に重なり合っている画像を視認しつつ、代替画像２２を視認できる。その結果、第１表示パネル２０に欠陥領域ＡＤが発生した場合であっても、第１表示パネル２０に表示される画像の視認性の低下を抑制できる。
【００２７】
さらに、第１表示パネル２０のうち代替画像２２に対応する領域において、互いに離れるように移動する複数の接触位置の移動（例えばピンチアウト操作）が検出されたことに応じて、制御部１０は、代替画像２２を拡大して表示させる。また、互いに近づくように移動する複数の接触位置の移動（例えばピンチイン操作）が検出されたことに応じて、制御部１０は、代替画像２２を縮小して表示させる。
【００２８】
被検出物が複数である場合、タッチパネル３０は、第１表示パネル２０に対する複数の被検出物の接触を検出する。図２（ｄ）に示すように、第１表示パネル２０が代替画像２２を表示するとき、第１表示パネル２０は、第２領域Ａ２と異なる第５領域Ａ５をさらに含む。第５領域Ａ５は、第１領域Ａ１を含む。複数の被検出物のうち、１つの被検出物が第２領域Ａ２に接触したことと、他の１つの被検出物が第５領域Ａ５に接触したこととが検出された場合、制御部１０は、代替画像２２に割り当てられた機能を実行する。
【００２９】
従って、ユーザーが第２領域Ａ２に接触しつつ、誤って第２領域Ａ２と異なる第５領域Ａ５を接触した場合、代替画像２２に割り当てられた機能が実行される。その結果、ユーザーの第１表示パネル２０に対する誤操作を防止できる。
【００３０】
次に、図３（ａ）〜図３（ｃ）を参照して、第１表示パネル２０に帯状の欠陥領域ＡＤが発生した場合の代替画像２２の表示制御を説明する。図３（ａ）〜図３（ｃ）は、第１表示パネル２０に帯状の欠陥領域ＡＤが発生した場合の代替画像２２の表示制御を説明する図である。図３（ａ）に示すように、第１表示パネル２０には、帯状の欠陥領域ＡＤが発生している。第１表示パネル２０に表示されている画像は、ボタン２１ａ〜ボタン２１ｅを含む。
【００３１】
図３（ｂ）に示すように、第１表示パネル２０に対する被検出物の４個の接触位置Ｐ１が検出されると、制御部１０は、検出された４個の接触位置Ｐ１をつなぎ合わせて第１領域Ａ１を特定する。
【００３２】
図３（ｃ）に示すように、第１領域Ａ１が特定されたことに応じて、制御部１０は、第１表示パネル２０のうち、第１領域Ａ１と異なる第２領域Ａ２をさらに特定する。そして、制御部１０は、第１表示パネル２０のうちの第１領域Ａ１に表示されている画像に対応する代替画像２２を、第２領域Ａ２に表示させる。
【００３３】
本実施形態において、第１表示パネル２０に表示される画像のうち、欠陥領域ＡＤを含む第１領域Ａ１は、ボタン２１ａの一部及びボタン２１ｃの一部に重なり合っている。従って、代替画像２２は、ボタン２１ａの一部に対応するボタン２２ａと、ボタン２１ｃの一部に対応するボタン２２ｃとを含む。
【００３４】
次に、図１〜図４を参照して、制御部１０が実行する代替画像２２の表示制御方法について説明する。図４は、代替画像２２の表示制御方法を示すフローチャートである。制御部１０は、コンピュータープログラムを実行して、ステップＳ１１からステップＳ１５までの処理を実行する。
【００３５】
ステップＳ１１において、ユーザーは、第１表示パネル２０に含まれる欠陥領域ＡＤを囲むように、第１表示パネル２０を接触する。ステップＳ１３において、制御部１０は、検出された接触位置に基づいて、第１領域Ａ１を特定する。ステップＳ１５において、制御部１０は、第１領域Ａ１と異なる第２領域Ａ２を特定し、第１領域Ａ１に表示されている画像に対応する代替画像２２を第２領域Ａ２に表示する。
【００３６】
以上、図１〜図４を参照して説明したように、本実施形態によれば、欠陥領域ＡＤを含む第１領域Ａ１に表示されている画像が、第１領域Ａ１と異なる第２領域Ａ２に表示される。従って、ユーザーは、欠陥領域ＡＤに表示される画像を視認できる。その結果、第１表示パネル２０に欠陥領域ＡＤが発生した場合であっても、第１表示パネル２０に表示される画像の視認性の低下を抑制できる。
【００３７】
次に、図５（ａ）〜図５（ｃ）を参照して、代替画像２２の分割表示制御について説明する。図５（ａ）〜図５（ｃ）は、表示装置１が実行する代替画像２２の分割表示制御を説明する図である。図５（ａ）に示すように、第１表示パネル２０に表示されている画像は、ボタン２１ｅを含む。
【００３８】
図５（ｂ）に示すように、第１表示パネル２０は、帯状の欠陥領域ＡＤを含む。ユーザーは、第１表示パネル２０のうち、ボタン２１ｅに対応する領域を接触し、代替画像２２を表示する機能を実行させる。ボタン２１ｅに対応する領域への接触が検出されることに応じて、制御部１０は、欠陥領域ＡＤが点状及び帯状のいずれかであることを指定するための画像（図示せず）を第１表示パネル２０に表示させる。本実施形態において、ユーザーは、欠陥領域ＡＤが帯状であることを指定する。そして、制御部１０は、帯状の欠陥領域ＡＤを含む第１領域Ａ１を特定する。
【００３９】
図５（ｃ）に示すように、制御部１０は、第１表示パネル２０に含まれるように、第１領域Ａ１と異なる第２領域Ａ２をさらに特定する。欠陥領域ＡＤが帯状であることを指定された場合、第２領域Ａ２は、第３領域Ａ３と第４領域Ａ４とを含む。第１領域Ａ１は、第３領域Ａ３と第４領域Ａ４との間に位置する。
【００４０】
制御部１０は、特定された第１領域Ａ１に表示されている画像に対応する代替画像２２の一部を第３領域Ａ３に表示させ、代替画像２２の他の一部を第４領域Ａ４に表示させる。なお、制御部１０は、代替画像２２の一部及び代替画像２２の他の一部を点滅させてもよい。また、制御部１０は、代替画像２２の一部の色彩及び代替画像２２の他の一部の色彩を透明色又は半透明色にして表示させてもよい。
【００４１】
本実施形態によれば、欠陥領域ＡＤに表示される画像を、第１表示パネル２０のうちの欠陥領域ＡＤと異なる領域で視認できる。その結果、第１表示パネル２０が欠陥領域ＡＤを含む場合であっても、第１表示パネル２０に表示される画像の視認性の低下を抑制できる。
【００４２】
次に、図６（ａ）〜図６（ｃ）を参照して、代替画像２２の分割縮小表示制御について説明する。図６（ａ）〜図６（ｃ）は、表示装置１が実行する代替画像２２の分割縮小表示制御を説明する図である。図６（ａ）に示すように、第１表示パネル２０に表示されている画像は、ボタン２１ｅを含む。
【００４３】
図６（ｂ）に示すように、第１表示パネル２０は、帯状の欠陥領域ＡＤを含んでいる。ユーザーは、第１表示パネル２０のボタン２１ｅに対応する領域を接触し、欠陥領域ＡＤが帯状であることを指定する。そして、第１表示パネル２０に対する被検出物の接触位置に基づいて、制御部１０は、欠陥領域ＡＤを含む第１領域Ａ１を特定する。本実施形態において、第１表示パネル２０は、欠陥領域ＡＤの延びる方向に直交する方向に沿った長さＬ１を有する。第１領域Ａ１は、欠陥領域ＡＤの延びる方向に直交する方向に沿った長さＬ２を有する。制御部１０は、長さＬ１に対する長さＬ２が閾値以上であるか否かを判定する。
【００４４】
長さＬ１に対する長さＬ２が閾値以上であると判定される場合、制御部１０は、第１領域Ａ１の一部を含む第１１領域Ａ１１と、第１領域Ａ１の他の一部を含む第１２領域Ａ１２とを特定する。第１１領域Ａ１１は、第１領域Ａ１の一部に隣り合った第１領域Ａ１と異なる領域をさらに含む。また、第１２領域Ａ１２は、第１領域Ａ１の他の一部に隣り合った第１領域Ａ１と異なる領域をさらに含む。
【００４５】
図６（ｃ）に示すように、制御部１０は、第１表示パネル２０のうち、第１領域Ａ１と異なる第２領域Ａ２をさらに特定する。欠陥領域ＡＤが帯状であることを指定された場合、第２領域Ａ２は、第３領域Ａ３と第４領域Ａ４とを含む。第１領域Ａ１は、第３領域Ａ３と第４領域Ａ４との間に位置する。制御部１０は、第１１領域Ａ１１に表示されている画像に対応する代替画像２２を縮小して第３領域Ａ３に表示させる。また、制御部１０は、第１２領域Ａ１２に表示されている画像に対応する代替画像２２を縮小して第４領域Ａ４に表示させる。
【００４６】
本実施形態によれば、第１表示パネル２０に表示される画像に対応する代替画像２２を分割させ、分割させた複数の代替画像２２のそれぞれを縮小して、欠陥領域ＡＤと異なる領域に表示させる。従って、第１表示パネル２０が欠陥領域ＡＤを含む場合であっても、第１表示パネル２０の全域に表示される画像を、第１表示パネル２０のうち欠陥領域ＡＤと異なる領域で視認できる。その結果、第１表示パネル２０が欠陥領域ＡＤを含む場合であっても、第１表示パネル２０に表示される画像の視認性の低下を抑制できる。
【００４７】
次に、図７（ａ）〜図７（ｃ）を参照して、代替画像２２の縮小表示制御について説明する。図７（ａ）〜図７（ｃ）は、表示装置１が実行する代替画像２２の縮小表示制御を説明する図である。図７（ａ）に示すように、第１表示パネル２０に表示されている画像は、ボタン２１ｅを含む。
【００４８】
図７（ｂ）に示すように、第１表示パネル２０は帯状の欠陥領域ＡＤを含んでいる。ユーザーは、第１表示パネル２０のボタン２１ｅに対応する領域を接触し、欠陥領域ＡＤが帯状であることを指定する。制御部１０は、第１表示パネル２０に対する被検出物の接触位置に基づいて、欠陥領域ＡＤを含む第１領域Ａ１を特定する。そして、制御部１０は、長さＬ１に対する長さＬ２が閾値以上であるか否かを判定する。
【００４９】
図７（ｃ）に示すように、長さＬ１に対する長さＬ２が閾値未満であると判定される場合、制御部１０は、第１領域Ａ１と異なる第２領域Ａ２を特定する。第２領域Ａ２は、第１表示パネル２０のうち、第１領域Ａ１に隣り合う領域である。第１表示パネル２０のうち、第１領域Ａ１に隣り合う領域が複数である場合、制御部１０は、任意の領域を選択する。
【００５０】
制御部１０は、例えば、第１領域Ａ１に隣り合う複数の領域のうち、面積が大きい領域を第２領域Ａ２として特定している。本実施形態において、制御部１０は、第１領域Ａ１に隣り合う複数の領域のうち、図７（ｃ）において、第１領域Ａ１より上部に位置する領域を第２領域Ａ２として特定している。そして、制御部１０は、第１領域Ａ１を含む第１表示パネル２０の全域に表示される画像に対応する代替画像２２を縮小して第２領域Ａ２に表示させる。
【００５１】
本実施形態によれば、第１領域Ａ１と異なる第２領域Ａ２に、第１表示パネル２０に表示される画像の全域に対応する代替画像２２を縮小して表示させる。従って、第１表示パネル２０が欠陥領域ＡＤを含む場合であっても、第１表示パネル２０の全域に表示される画像に対応する代替画像２２を視認できる。その結果、第１表示パネル２０が欠陥領域ＡＤを含む場合であっても、第１表示パネル２０に表示される画像の視認性の低下を抑制できる。
【００５２】
以上、図１〜図７を参照して説明したように、実施形態１によれば、欠陥領域ＡＤに表示されている画像に対応する代替画像２２が、第１表示パネル２０のうちの欠陥領域ＡＤと異なる第２領域Ａ２に表示される。従って、第１表示パネル２０が欠陥領域ＡＤを含む場合、欠陥領域ＡＤに表示される画像を欠陥領域ＡＤと異なる領域で視認できる。その結果、第１表示パネル２０に欠陥領域ＡＤが発生した場合であっても、第１表示パネル２０に表示される画像の視認性の低下を抑制できる。
【００５３】
（実施形態２）
図８〜図１０を参照して、本発明の実施形態２に係る表示装置１について説明する。図８は、実施形態２に係る表示装置１を示すブロック図である。図９（ａ）〜図９（ｃ）は、実施形態２に係る表示装置１が実行する代替画像２２の表示制御を説明する図である。実施形態２に係る表示装置１の構成は、第２検出部としてのタッチパッド４０をさらに備えることを除いて、図１に示した表示装置１の構成と同じであるため、重複部分については説明を省略する。表示装置１は、第２検出部としてのタッチパッド４０をさらに備える。
【００５４】
図９（ａ）に示すように、タッチパッド４０は、被接触面４０Ａを含む。タッチパッド４０は、被検出物の被接触面４０Ａに対する接触位置を検出する。被接触面４０Ａ内の位置を表す座標は、第１表示パネル２０内の位置を表す座標に対応している。
【００５５】
図９（ｂ）に示すように、第１表示パネル２０は、欠陥領域ＡＤを含む。ユーザーは、欠陥領域ＡＤを含むように第１表示パネル２０を接触する。そして、検出された接触位置に基づいて、制御部１０は、第１領域Ａ１を特定する。制御部１０は、特定された第１領域Ａ１に表示されている画像に対応する代替画像２２を、第１表示パネル２０のうち第１領域Ａ１と異なる第２領域Ａ２に表示させる。なお、制御部１０は、タッチパッド４０に検出された被接触面４０Ａに対する接触位置に応じて、第１表示パネル２０のうちの第１領域Ａ１を特定してもよい。
【００５６】
図９（ｃ）に示すように、制御部１０は、第１領域Ａ１を特定したことに応じて、第１領域Ａ１と異なる第２領域Ａ２をさらに特定する。第２領域Ａ２は、第１表示パネル２０内で特定されている。そして、制御部１０は、第１表示パネル２０のうちの第１領域Ａ１に表示されている画像に対応する代替画像２２を、第２領域Ａ２に表示させる。
【００５７】
図１０（ａ）〜図１０（ｃ）を参照して、タッチパッド４０の被接触面４０Ａでの座標と第１表示パネル２０での座標との関連性について説明する。図１０（ａ）〜図１０（ｃ）は、タッチパッド４０の被接触面４０Ａでの座標と第１表示パネル２０での座標との関連性について説明する図である。
【００５８】
図１０（ａ）に示すように、第１表示パネル２０は、欠陥領域ＡＤを含む。第１表示パネル２０に対する被接触物の検出位置に基づいて、制御部１０は、欠陥領域ＡＤを含む第１領域Ａ１を特定する。図１０（ｂ）に示すように、制御部１０は、第１表示パネル２０内で第１領域Ａ１と異なる第２領域Ａ２を特定する。そして、制御部１０は、特定された第１領域Ａ１に表示されている画像に対応する代替画像２２を、第２領域Ａ２に表示させる。このとき、タッチパッド４０が被検出物の被接触面４０Ａに対する接触位置を検出すると、制御部１０は、被接触面４０Ａ内の接触位置を表す座標Ｔ２と、第１表示パネル２０に含まれる第２領域Ａ２内の位置を表す座標Ｐ２とを対応づける。そして、制御部１０は、第１表示パネル２０のうちの座標Ｐ２にポインタを表示させる。
【００５９】
図１０（ｃ）に示すように、タッチパッド４０は、被検出物の被接触面４０Ａ内の接触位置を表す座標Ｔ２から座標Ｔ３への接触位置の移動を検出する。制御部１０は、被接触面４０Ａ内の位置を表す座標Ｔ３と、第２領域Ａ２内の位置を表す座標Ｐ３とを対応づける。従って、制御部１０は、第２領域Ａ２内の座標Ｐ２から、座標Ｐ３へポインタを移動して表示させる。
【００６０】
本実施形態によれば、第１表示パネル２０を接触することに代えて、タッチパッド４０の被接触面４０Ａを接触することで表示装置１を操作できる。その結果、代替画像２２を表示する第２領域Ａ２の面積が被接触面４０Ａの面積より小さい場合であっても、ユーザーは、被接触面４０Ａを接触して表示装置１を操作できる。
【００６１】
以上、図８〜図１０を参照して説明したように、実施形態２によれば、ユーザーは、タッチパッド４０の被接触面４０Ａを接触することで表示装置１を操作できる。従って、第１表示パネル２０が欠陥領域ＡＤを含むとともに、タッチパネル３０が欠陥を含む場合であっても、代替画像２２を表示させつつ、タッチパッド４０の被接触面４０Ａを接触することで、表示装置１を操作できる。その結果、表示装置１の操作性の低下を抑制できる。その他、実施形態２では、実施形態１と同様の効果を奏する。
【００６２】
（実施形態３）
図１１及び図１２を参照して、本発明の実施形態３に係る表示装置１について説明する。図１１は、実施形態３に係る表示装置１を示すブロック図である。図１２は、実施形態３に係る表示装置１が実行する代替画像２２の表示制御を説明する図である。表示装置１は、第１表示パネル２０と異なる第２表示パネル５０をさらに備える。実施形態３に係る表示装置１の構成は、第２表示パネル５０及びタッチパネル６０をさらに備えることを除いて、図１に示した表示装置１の構成と同じであるため、重複部分については説明を省略する。第２表示パネル５０は、画像を表示する。タッチパネル６０は、第２表示パネル５０に対する被検出物の接触位置を検出する。
【００６３】
図１２に示すように、第１表示パネル２０に表示される画像は、ボタン２１ａ〜２１ｅを含む。第１表示パネル２０には、欠陥領域ＡＤが含まれる。第１表示パネル２０のうちボタン２１ｅに対応する領域に対する接触が検出されたことに応じて、制御部１０は、第１領域Ａ１を特定する。本実施形態において、第１領域Ａ１は、第１表示パネル２０の全域である。
【００６４】
制御部１０は、第１領域Ａ１を特定したことに応じて、第２領域Ａ２をさらに特定する。第２領域Ａ２は、第２表示パネル５０に含まれる。そして、制御部１０は、第１表示パネル２０に表示されている画像に対応する代替画像２２を、第２表示パネル５０に含まれる第２領域Ａ２に表示させる。
【００６５】
以上、図１１及び図１２を参照して説明したように、実施形態３によれば、第１表示パネル２０の全域に表示される画像に対応する代替画像２２が第２表示パネル５０に表示される。従って、第１表示パネル２０が欠陥領域ＡＤを含む場合であっても、ユーザーは、第２表示パネル５０で第１表示パネル２０に表示される画像を視認できる。その結果、第１表示パネル２０の全域が欠陥領域ＡＤであっても、表示装置１を使用できる。
【００６６】
なお、第２表示パネル５０は、第１表示パネル２０が欠陥領域ＡＤを含む場合にのみ代替画像２２を表示してもよいし、第２表示パネル５０は、代替画像２２を常に表示してもよい。
【００６７】
ここで、実施形態１に係る表示装置１、実施形態２に係る表示装置１、又は実施形態３に係る表示装置１は、画像形成装置以外の電子機器に搭載することもできる。電子機器は、表示装置１を介して入力された情報に従って、情報処理を実行する。例えば、電子機器は、携帯端末（例えば、スマートフォン）、又はタブレット端末である。
【００６８】
以上、図１〜図１２を参照して実施形態１〜実施形態３について説明した。ただし、本発明は、上記の実施形態に限られるものではなく、その要旨を逸脱しない範囲で種々の態様において実施することが可能であり、例えば、以下のような変形も可能である（例えば、下記に示す（１）〜（６））。
【００６９】
（１）図２を参照して説明したように、第１表示パネル２０のうち、第１表示パネル２０に表示される画像に含まれるボタン２１ｅに対応する領域が接触されることで、第１領域Ａ１を特定する機能が実行された。ただし、表示装置１が物理的に備えるボタン（図示せず）が押下されることで、第１領域Ａ１を特定する機能が実行されてもよい。
【００７０】
（２）図２を参照して説明したように、第１表示パネル２０に対する被検出物の接触位置に基づいて、第１領域Ａ１が特定された。ただし、ユーザーが第１表示パネル２０に対してピンチアウト操作又はピンチイン操作を行うことで、第１領域Ａ１が特定されてもよい。
【００７１】
（３）図２を参照して説明したように、制御部１０は、代替画像２２を点滅させた。また、制御部１０は、代替画像２２の色彩を透明色又は半透明色にして表示させた。ただし、制御部１０は、代替画像２２を点滅させつつ、代替画像２２の色彩を透明色又は半透明色にして表示させてもよい。
【００７２】
（４）図２を参照して説明したように、第１表示パネル２０のうち代替画像２２に対応する領域で第１所定時間以上停止した接触位置が検出され、さらに検出された被検出物の接触移動に応じて、制御部１０は、接触移動に対応するように代替画像２２の表示位置を変更させた。ただし、第１表示パネル２０のうち代替画像２２に対応する領域でタップ操作が検出され、さらに検出された被検出物の接触移動に応じて、制御部１０は、接触移動に対応するように代替画像２２の表示位置を変更させてもよい。
【００７３】
（５）図３を参照して説明したように、制御部１０は、検出された４個の接触位置Ｐ１に基づいて第１領域Ａ１を特定したが、４個以外の複数の接触位置Ｐ１に基づいて第１領域Ａ１を特定してもよい。例えば、制御部１０は、検出された３個の接触位置に基づいて第１領域Ａ１を特定してもよい。
【００７４】
（６）図１２を参照して説明したように、第１表示パネル２０の面積は、第２表示パネル５０の面積より大きい。ただし、第１表示パネル２０の面積と第２表示パネル５０の面積とは同じであってもよいし、第１表示パネル２０の面積より第２表示パネル５０の面積が大きくてもよい。
【産業上の利用可能性】
【００７５】
本発明は、表示装置の分野に利用可能である。
【符号の説明】
【００７６】
１      表示装置
１０    制御部
２０    第１表示パネル
２２    代替画像
３０    タッチパネル
４０    タッチパッド
４０Ａ  被接触面
５０    第２表示パネル
Ａ１    第１領域
Ａ２    第２領域
ＡＤ    欠陥領域
【図１】
0006471679.tif 000002
【図２】
0006471679.tif 000003
【図３】
0006471679.tif 000004
【図４】
0006471679.tif 000005
【図５】
0006471679.tif 000006
【図６】
0006471679.tif 000007
【図７】
0006471679.tif 000008
【図８】
0006471679.tif 000009
【図９】
0006471679.tif 000010
【図１０】
0006471679.tif 000011
【図１１】
0006471679.tif 000012
【図１２】
0006471679.tif 000013